(57)【特許請求の範囲】
【請求項１】
相対向するガイドレールを備えた収容筐体と、前記ガイドレールに案内されて前記収容筐体に挿抜される回路ユニットとを具備し、前記収容筐体の所定位置に前記回路ユニットを収容設置して成る電子機器を対象とした、電子機器の回路ユニット抜止め構造であって、
前記収容筐体における前方の開口に突出し、横方向に延びる梁部と該梁部の端部から下方向に延びる押え部とを有するロック部と、
前記収容筐体の所定位置に前記回路ユニットを収容した状態において、前記収容筐体と前記回路ユニットとの間隙に占位し、かつ前記回路ユニットの挿抜方向に展開するとともに、前記ロック部の前記梁部に係合する切り欠きを形成したロックプレートを有し、前記回路ユニットに対して、前記ロックプレートを前記ロック部と係合させるロック位置と前記ロックプレートを前記ロック部から離脱させるアンロック位置との間で移動自在に設置されたロック操作部材と、
を具備して成ることを特徴とする電子機器の回路ユニット抜止め構造。
【発明の詳細な説明】
【０００１】
【発明の属する技術分野】
本発明は、相対向するガイドレールを備えた収容筐体の内部に、前記ガイドレールを介して回路ユニットを挿入し、該回路ユニットを収容筐体の所定位置に収容設置して構成される電子機器を対象とした、電子機器の回路ユニット抜止め構造に関する。
【０００２】
【従来の技術】
図７および図８は、電子機器の一つである構内交換機(ＰＢＸ)を示すものであり、外装ケース(図示せず)の取り外された構内交換機Ａは、収容筐体Ｂと該収容筐体Ｂに収容設置された制御ユニット(回路ユニット)Ｃとを具備している。
【０００３】
収容筐体Ｂは、その下部フレームＢｌおよび上部フレームＢｕに、相対向するガイドレールＧｌ，Ｇｕが設けられている。
また、収容筐体Ｂの内部奥方には、マザーボードＭが設置されており、このマザーボードＭには、後述する制御ユニットＣの接続されるコネクタジャックＪが設置されている。
【０００４】
一方、制御ユニットＣは、いわゆるプラグインユニットであって、各種の電子部品(図示せず)を実装した回路基板Ｅを具備し、該回路基板Ｅにおける正面側の縁部には補強ステーＬが固設されている。
また、回路基板Ｅにおける奥方側の縁部には、前述したマザーボードＭと接続されるコネクタプラグＰが設けられ、一方、回路基板Ｅの前方側の縁部には、制御ユニットＣを収容筐体Ｂから引き抜く際に使用されるプルリングＲが取り付けられている。
【０００５】
前記制御ユニットＣは、上述したガイドレールＧｌ，Ｇｕに案内されつつ、前記マザーボードＭと垂直を成す方向に沿って、前記収容筐体Ｂに対して挿入／抜去され、前記収容筐体Ｂに対して挿入した状態において、コネクタプラグＰをマザーボードＭのコネクタジャックＪと接続することで、収容筐体Ｂの所定位置に収容設置されることとなる。
【０００６】
また、上述した従来の構内交換機(電子機器)Ａでは、輸送中や使用中に衝撃が加わった際、コネクタプラグＰとコネクタジャックＪとの接続が外れ、制御ユニットＣが収容筐体Ｂから抜け出してしまうことのないよう、止めネジＳを用いて収容筐体Ｂに制御ユニットＣを固定している。
【０００７】
すなわち、収容筐体Ｂの開口縁部にフランジＢｆを形成するとともに、制御ユニットＣの補強ステーＬに横向きのＵ字形状を呈する切欠きＬｕを形成し、この切欠きＬｕに貫通させた止めネジＳをフランジＢｆに螺着させ、フランジＢｆに補強ステーＬを締結することによって、前記収容筐体Ｂに対して制御ユニットＣを固定している。
【０００８】
【発明が解決しようとする課題】
ところで、上述の如く収容筐体Ｂに止めネジＳを用いて制御ユニットＣを固定している構内交換機(電子機器)Ａでは、保守・点検時において収容筐体Ｂから制御ユニットＣを取り出す場合、収容筐体ＢのフランジＢｆから止めネジＳを取り外さねばならず、また制御ユニットＣを収容筐体Ｂに装着したのちには、再び止めネジＳによって収容筐体Ｂと制御ユニットＣとを締結する必要がある。
【０００９】
すなわち、上述した構内交換機Ａにおいては、収容筐体Ｂに対する制御ユニットＣの挿入／抜去に伴って、工具を用いて止めネジＳを収容筐体Ｂから完全に取り外す作業と、取り外された止めネジＳを再び収容筐体Ｂに取り付ける作業とを必要とし、オペレータに繁雑な作業を強いることにより作業性の低下を招く不都合があった。
【００１０】
ここで、上述した構内交換機Ａにおいては、工具を用いて止めネジＳの締結を緩めたのち、制御ユニットＣにおける回路基板Ｅを撓ませ、補強ステーＬの切欠きＬｕを横移動させることによって、止めネジＳと補強ステーＬとの係合を解いたのち、制御ユニットＣを収容筐体Ｂから取り出すことも可能ではある。
【００１１】
しかしながら、上述した方法では止めネジＳを完全に取り外す必要がないため作業が容易なものとなる反面、制御ユニットＣにおける回路基板Ｅを撓ませることによって、この回路基板に形成されている回路の破損、すなわち制御ユニットＣの破損を招いてしまう不都合があった。
【００１２】
一方、上述した構内交換機Ａにおいては、上述した止めネジＳに換え、周知のラッチピン(図示せず)を用いて、収容筐体Ｂに制御ユニットＣを締結するよう構成することも可能である。
【００１３】
このような構成によれば、ラッチピンを引き抜くだけで収容筐体Ｂと制御ユニットＣとの締結を解くことができ、またラッチピンを押し込むだけで収容筐体Ｂと制御ユニットＣとを締結できるので、締結手段として止めネジを用いた構成よりも格段に優れた作業性が得られ、また回路基板Ｅを強引に撓ませる必要もないので、制御ユニットＣの不用意な損傷を未然に防止することができる。
【００１４】
反面、止めネジＳに換わるラッチピンは、その構造上、止めネジＳに比べて径が太く、これに伴いラッチピンの装着されるフランジＢｆや補強ステーＬも大形化するため、収容筐体Ｂの所定位置に制御ユニットＣを収容した状態における、収容筐体Ｂと制御ユニットＣとの間隔を大きく設定しなければならず、これによって構内交換機Ａの不用意な大形化を招いてしまう不都合があった。
【００１５】
本発明の目的は、上記実状に鑑みて、電子機器の大型化や回路ユニットの損傷を招くことなく、収容筐体に対する回路ユニットの挿入／抜去作業を容易に実施することの可能な電子機器の抜止め構造を提供することにある。
【００１６】
【課題を解決するための手段】
本発明に関わる電子機器の回路ユニット抜止め構造は、相対向するガイドレールを備えた収容筐体と、ガイドレールに案内されて収容筐体に挿抜される回路ユニットとを具備し、収容筐体の所定位置に回路ユニットを収容設置して成る電子機器を対象とした、電子機器の回路ユニット抜止め構造であって、収容筐体における前方の開口に突出し、横方向に延びる梁部と該梁部の端部から下方向に延びる押え部とを有するロック部を具備しており、さらに収容筐体の所定位置に回路ユニットを収容した状態において、収容筐体と回路ユニットとの間隙に占位し、かつ回路ユニットの挿抜方向に展開するとともに、ロック部の梁部に係合する切り欠きを形成したロックプレートを有し、回路ユニットに対して、ロックプレートをロック部と係合させるロック位置とロックプレートをロック部から離脱させるアンロック位置との間で移動自在に設置されたロック操作部材とを具備している。
【００１７】
【発明の実施の形態】
以下、本発明の一実施例を、図面を参照しながら詳細に説明する。
【００１８】
図１および図２は、電子機器の一つである構内交換機(ＰＢＸ)に、本発明を適用した一実施例を示しており、外装ケース(図示せず)の取り外された構内交換機１は、収容筐体１０と、該収容筐体１０に収容設置された回路ユニットとしての制御ユニット２０とを具備している。
【００１９】
収容筐体１０は、前方に向けて開放された箱形状を呈しており、その下部フレーム１０Ｌと上部フレーム１０Ｕとには、それぞれガイドレール１１とガイドレール１２とが設置されている。
【００２０】
また、収容筐体１０の内部奥方には、マザーボード１３が設置されており、このマザーボード１３には、後述する制御ユニット(回路ユニット)２０の接続されるコネクタジャック１４が設置されている。
【００２１】
ここで、前記ガイドレール１１とガイドレール１２とは、相対向しかつ互いに平行を成す態様で設置されているとともに、それぞれ前記マザーボード１３に対して垂直を成す方向に沿って設置されている。
【００２２】
一方、回路ユニットとしての制御ユニット２０は、いわゆるプラグインユニットであって、各種の電子部品(図示せず)を実装した回路基板２１を具備し、該回路基板２１における正面側の縁部には補強ステー２２が固設されている。
【００２３】
前記補強ステー２２は、Ｌ字状断面を成す長尺の部材であり、上下方向に延在する態様で回路基板２１の前縁部に固定され、後に詳述するロック操作部材３０が取り付けられている。
【００２４】
また、回路基板２１における奥方側の縁部には、前述したマザーボード１３と接続されるコネクタプラグ２３が設けられ、一方、回路基板２１の前方側の縁部には、制御ユニット２０を収容筐体１０から抜去する際に使用されるプルリング２４が取り付けられている。
【００２５】
前記制御ユニット２０は、上述したガイドレール１１，１２に案内されつつ、前記マザーボード１３と垂直を成す方向に沿って、前記収容筐体１０に対して挿入／抜去され、前記収容筐体１０に対して挿入した状態において、コネクタプラグ２３をマザーボード１３のコネクタジャック１４と接続することで、収容筐体１０の所定位置に収容設置されることとなる。
【００２６】
ここで、図１〜図３に示す如く、前記収容筐体１０における側板１０Ｓの前縁には、該側板１０Ｓの一部を正面側に切り起こすことによって、ロック部としてのロック爪１０Ｒが形成されている。
【００２７】
このロック爪１０Ｒは、前記収容筐体１０の前方フランジ１０Ｆと面一に延びて、前記収容筐体１０における前方の開口に突出しており、横方向に延びる梁部１０Ｒａと、この梁部１０Ｒａの端部から下方向に延びる押え部１０Ｒｂとを有している。
【００２８】
一方、図４に示す如く、前記制御ユニット２０の補強ステー２２には、上述したようにロック操作部材３０が取り付けられている。
【００２９】
このロック操作部材３０は、一枚の板金を屈曲形成することにより製造された部材であって、前記補強ステー２２の正面板２２Ｆに沿って展開する正面プレート３０Ｆと、該正面プレート３０Ｆの側縁から直角方向に展開するロックプレート３０Ｒと、前記正面プレート３０Ｆの上下の縁部から前方に展開する一対のつまみ部３０Ｈとを有している。
【００３０】
前記正面プレート３０Ｆには、上下方向に延びる長孔３０Ｆｏが形成されており、該長孔３０Ｆｏを貫通して補強ステー２２における正面板２２Ｆのネジ孔２２Ｆｏに螺合するネジ３１によって、前記ロック操作部材３０は補強ステー２２に取り付けられ、かつ補強ステー２２の正面板２２Ｆに倣って後述するロック位置とアンロック位置との間を上下方向へ移動自在に支承されている。
【００３１】
前記ロック操作部材３０のロックプレート３０Ｒは、収容筐体１０の所定位置に制御ユニット２０を収容した状態において、収容筐体１０の側板１０Ｓと制御ユニット２０との間隙に占位し、かつ前記制御ユニット２０の挿抜方向に沿って展開するもので、その上縁部には前記収容筐体１０に設けられたロック爪１０Ｒと係合する切り欠き３０Ｒａが形成されている。
【００３２】
図５は、上述した構成の構内交換機１において、収容筐体１０の所定位置に収容設置された制御ユニット２０を、ロック操作部材３０によって収容筐体１０にロックした状態を示している。
【００３３】
この状態において、前記ロック操作部材３０はロック位置、すなわちロックプレート３０Ｒをロック爪１０Ｒに係合、詳しくはロック爪１０Ｒの梁部１０Ｒａの裏面にロックプレート３０Ｒの切り欠き３０Ｒａを当接させた位置に在り、ネジ３１によって制御ユニット２０の補強ステー２２に固定されている。
【００３４】
上述した状態では、ロック操作部材３０のロックプレート３０Ｒが、ロック爪１０Ｒと係合していることにより、収容筐体１０に対する制御ユニット２０の前後移動が阻止されるので、構内交換機１の輸送中や使用中に衝撃が加わった場合でも、制御ユニット２０が収容筐体１０から抜け出してしまうことがない。
【００３５】
また、上述した状態では、ロック爪１０Ｒの梁部１０Ｒａと押え部１０Ｒｂとが、ロック操作部材３０におけるロックプレート３０Ｒの切り欠き３０Ｒａと、補強ステー２２における正面板２２Ｆの裏面とで挟まれることにより、制御ユニット２０は前後方向にガタを生じることなく収容筐体１０に固定されることとなる。
【００３６】
また、ロックプレート３０Ｒがロック爪１０Ｒと係合している状態では、制御ユニット２０に横方向から外力が作用した場合でも、前記ロックプレート３０Ｒがロック爪１０Ｒの押え部１０Ｒｂと当接することで、回路基板２１が湾曲する如き制御ユニット２０の変形を未然に防止できる。
【００３７】
一方、上述した構成の構内交換機１を保守・点検するべく、収容筐体１０から制御ユニット２０を取り出す場合には、先ず、ドライバー等の工具を用いてネジ３１を緩め、ロック位置(図５)に占位しているロック操作部材３０を、手操作によって下方へ押し下げ、図６に示すアンロック位置へ移動させる。
【００３８】
このアンロック位置においては、図６に示す如く、ロックプレート３０Ｒがロック爪１０Ｒから離脱、詳しくはロックプレート３０Ｒの切り欠き３０Ｒａと、ロック爪１０Ｒにおける梁部１０Ｒａとの当接が解除されているので、制御ユニット２０は収容筐体１０に対して何らロックされることはない。
【００３９】
すなわち、ネジ３１を収容筐体１０から取り外すことなく僅かに緩め、ロック操作部材３０をアンロック位置へ移動させることにより、収容筐体１０に対する制御ユニット２０の前後移動の規制を解除することができる。
【００４０】
したがって、ロック操作部材３０をアンロック位置へ移動させたのち、プルリング２４を引っ張ることにより、制御ユニット２０はガイドレール１１，１２に案内されつつ、収容筐体１０から容易に引き出されることとなる。
【００４１】
ここで、アンロック位置に押し下げられたロック操作部材３０は、ネジ３１に係止された状態でアンロック位置に保持され、ロック位置に復帰することはないので、敢えてネジ３１を締めてロック操作部材３０を補強ステー２２に固定させる必要はなく、もって収容筐体１０から制御ユニット２０を引き出す際、さらには後述の如く制御ユニット２０を収容筐体１０に挿入する際の作業が容易なものとなる。
【００４２】
一方、保守・点検の済んだ制御ユニット２０を、再び収容筐体１０に収容設置する際には、先ず、ロック操作部材３０をアンロック位置(図６)に占位させた状態において、前記制御ユニット２０をガイドレール１１，１２に沿って収容筐体１０に挿入し、前記収容筐体１０における所定位置に収容設置する。
【００４３】
次いで、ロック操作部材３０を押し上げてロック位置(図５)に移動させ、こののちドライバー等の工具を用いてネジ３１を締めて、制御ユニット２０の補強ステー２２にロック操作部材３０を固定する。
【００４４】
すなわち、ロック操作部材３０をロック位置へ移動させ、緩んでいたネジ３１を締め付けることにより、収容筐体１０の所定位置に収容設置された制御ユニット２０が、前後に移動することのないようロックされることとなる。
【００４５】
このように、上述した構成の構内交換機１によれば、ロック操作部材３０をロック位置とアンロック位置との間で移動させることにより、収容筐体１０に対する制御ユニット２０の固定、および収容筐体１０に対する制御ユニット２０の固定の解除とを行うことができる。
【００４６】
すなわち、上述した構成の構内交換機１では、収容筐体に対する制御ユニットの挿入／抜去に伴って、工具を用いて止めネジを取り外す作業と、取り外された止めネジを再び取り付ける作業とを必要としていた従来の技術に比べ、収容筐体１０に対する制御ユニット２０の挿入／抜去作業を容易に実施することが可能となる。
【００４７】
また、上述した構成の構内交換機１によれば、ロック操作部材３０をアンロック位置とすることで、ロックプレート３０Ｒが収容筐体１０のロック爪１０Ｒから離脱するので、制御ユニット２０を何ら撓ませることなく収容筐体１０から取り出すことができ、もって変形に起因する制御ユニット２０の損傷を未然に防止することができる。
【００４８】
また、上述した構成の構内交換機１によれば、ロック操作部材３０を操作する際に、該ロック操作部材３０を支承しているネジ３１を、制御ユニット２０の補強ステー２２から取り外す必要はないので、作業中にネジ３１を紛失してしまうこともない。
【００４９】
また、上述した構成の構内交換機１において、収容筐体１０のロック爪１０Ｒと係合する、ロック操作部材３０のロックプレート３０Ｒは、収容筐体１０と制御ユニット２０との間隙に占位し、かつ制御ユニット２０の挿抜方向に展開する板状の部材なので、ラッチピンを用いて収容筐体に制御ユニットを締結する従来の技術に比べて、収容筐体１０に制御ユニット２０を収容した状態における、収容筐体１０と制御ユニット２０との間隔を可及的に小さく設定することができ、もって構内交換機１の不用意な大形化を未然に防止することができる。
【００５１】
また、上述した実施例においては、収容筐体に回路ユニットとしての制御ユニットを収容設置した構内交換機を例示したが、収容筐体に収容設置される回路ユニットとしては、例えば電源ユニット等、制御ユニット以外の様々な回路ユニットであっても良いことは勿論である。
【００５２】
さらに、上述した実施例においては、構内交換機に本発明を適用した例を示したが、収容筐体にプラグインユニットを収容設置して成る様々な電子機器においても、本発明を有効に適用し得ることは言うまでもない。
【００５３】
【発明の効果】
以上、詳述した如く、本発明に関わる電子機器の回路ユニット抜止め構造は、相対向するガイドレールを備えた収容筐体と、ガイドレールに案内されて収容筐体に挿抜される回路ユニットとを具備し、収容筐体の所定位置に回路ユニットを収容設置して成る電子機器を対象とした、電子機器の回路ユニット抜止め構造であって、収容筐体における前方の開口に突出し、横方向に延びる梁部と該梁部の端部から下方向に延びる押え部とを有するロック部を具備しており、さらに収容筐体の所定位置に回路ユニットを収容した状態において、収容筐体と回路ユニットとの間隙に占位し、かつ回路ユニットの挿抜方向に展開するとともに、ロック部の梁部に係合する切り欠きを形成したロックプレートを有し、回路ユニットに対して、ロックプレートをロック部と係合させるロック位置とロックプレートをロック部から離脱させるアンロック位置との間で移動自在に設置されたロック操作部材とを具備している。
【００５４】
上記構成によれば、ロック操作部材をロック位置とアンロック位置との間で移動させることにより、収容筐体に対する回路ユニットの固定、および固定の解除とを行うことができるので、収容筐体に対する回路ユニットの挿入／抜去に伴って、工具を用いて止めネジを取り外す作業と、取り外された止めネジを再び取り付ける作業とを必要としていた従来の技術に比べ、収容筐体に対する回路ユニットの挿入／抜去作業を容易に実施することが可能となる。
【００５５】
また、上記構成によれば、ロック操作部材をアンロック位置とすることで、ロックプレートが収容筐体のロック部から離脱するので、回路ユニットを何ら撓ませることなく収容筐体から取り出すことができ、もって変形に起因する回路ユニットの損傷を未然に防止することができる。
【００５６】
また、上記構成によれば、収容筐体のロック部と係合する、ロック操作部材のロックプレートは、収容筐体と回路ユニットとの間隙に占位し、かつ回路ユニットの挿抜方向に展開する板状の部材なので、ラッチピンを用いて収容筐体に回路ユニットを締結する従来の技術に比べ、収容筐体に回路ユニットを収容した状態における、収容筐体と回路ユニットとの間隔を可及的に小さく設定でき、もって電子機器の不用意な大形化を未然に防止することが可能となる。
【００５７】
したがって、本発明に関わる電子機器の回路ユニット抜止め構造によれば、電子機器の大型化や回路ユニットの損傷を招くことなく、収容筐体に対する回路ユニットの挿入／抜去作業を容易に実施することが可能となる。
【図面の簡単な説明】
【図１】本発明に関わる回路ユニット抜止め構造を採用した電子機器の一実施例を示す外観斜視図。
【図２】図１に示した電子機器の要部正面図および要部断面側面図。
【図３】図１に示した電子機器の収容筐体を示す要部外観斜視図。
【図４】図１に示した電子機器の回路ユニットを示す要部外観斜視図。
【図５】図１に示した電子機器におけるロック操作部材がロック位置に在る状態を示す要部正面図および要部側面図。
【図６】図１に示した電子機器におけるロック操作部材がアンロック位置に在る状態態様を示す要部正面図および要部側面図。
【図７】従来の電子機器を示す外観斜視図。
【図８】従来の電子機器を示す要部正面図および要部断面側面図。
【符号の説明】
１…構内交換機(電子機器)、
１０…収容筐体、
２０…制御ユニット(回路ユニット)、
３０…ロック操作部材、
３０Ｒ…ロックプレート、
１０Ｒ…ロック爪(ロック部)。
【図１】
0004528463.tif 000002
【図２】
0004528463.tif 000003
【図３】
0004528463.tif 000004
【図４】
0004528463.tif 000005
【図５】
0004528463.tif 000006
【図６】
0004528463.tif 000007
【図７】
0004528463.tif 000008
【図８】
0004528463.tif 000009